(57)【要約】【課題】より安価な記録媒体を有効に活用可能とする。【解決手段】本発明によれば、データの書き換えが所定回数に制限された第１の記録領域とデータの書き換え回数が制限されていない第２の記録領域とを有する記録媒体に対して情報データを記録する装置であって、前記記録媒体に対して前記情報データを記録再生する記録再生手段と、前記第２の記録領域に記録されている情報データのプロテクトの指示に応じて、前記指示された情報データを前記第２の記録領域から再生して前記第１の記録領域に記録するよう前記記録再生手段を制御する制御手段とを備える記録装置が提示される。【選択図】      図４
2004274136.tif 000002
【特許請求の範囲】
【請求項１】
データの書き換えが所定回数に制限された第１の記録領域とデータの書き換え回数が制限されていない第２の記録領域とを有する記録媒体に対して情報データを記録する装置であって、
前記記録媒体に対して前記情報データを記録再生する記録再生手段と、
前記第２の記録領域に記録されている情報データのプロテクトの指示に応じて、前記指示された情報データを前記第２の記録領域から再生して前記第１の記録領域に記録するよう前記記録再生手段を制御する制御手段とを備える記録装置。
【請求項２】
データの書き換えが所定回数に制限された第１の記録領域とデータの書き換え回数が制限されていない第２の記録領域とを有する記録媒体に対して情報データを記録する装置であって、
前記記録媒体に対して前記情報データを記録再生する記録再生手段と、
前記第２の記録領域に記録されている情報データの消去禁止の指示に応じて、前記指示された情報データを前記第２の記録領域から再生して前記第１の記録領域に記録するよう前記記録再生手段を制御する制御手段とを備える記録装置。
【請求項３】
前記制御手段は、前記指示された情報データを前記第１の記録領域に記録した後、前記第２の記録領域における前記指示された情報データを消去する様前記記録再生手段を制御することを特徴とする請求項１または２記載の記録装置。
【請求項４】
前記第１の記録領域は同一の記録領域に対するデータの書き込み回数が１回のみに制限されていることを特徴とする請求項１または２記載の記録装置。
【請求項５】
データの書き換えが所定回数に制限された第１の記録領域とデータの書き換え回数が制限されていない第２の記録領域とを有する記録媒体に対して情報データを記録する装置であって、
前記記録媒体に対して前記情報データを記録再生する記録再生手段と、
前記第２の記録領域に対して優先的に前記情報データを記録すると共に、前記第２の記録領域における前記情報データの記録可能領域が所定量以下となった場合に、前記第２の記録領域に記録されている情報データのうちの一部を再生して前記第１の記録領域に記録するよう前記記録再生手段を制御する制御手段とを備える記録装置。
【請求項６】
前記制御手段は、前記第２の記録媒体に記録されている情報データの記録日時に基づいて前記一部の情報データを決定することを特徴とする請求項５記載の記録装置。
【請求項７】
前記制御手段は、前記第２の記録領域に記録されている情報データのうち、記録日時の最も古い情報データを再生して前記第１の記録領域に記録するよう前記記録再生手段を制御することを特徴とする請求項６記載の記録装置。
【請求項８】
前記情報データは画像データを含むことを特徴とする請求項１〜７記載の記録装置。
【請求項９】
データの書き換え回数が所定回数に制限された第１の記録領域と、データの書き換え回数が制限されていない第２の記録領域とを有する記録媒体。
【請求項１０】
データの書き換え回数が所定回数に制限された第１の記録領域と、データの書き換え回数が制限されていない第２の記録領域とを有するメモリカード。
【発明の詳細な説明】
【０００１】
【発明の属する技術分野】
本発明は記録装置に関し、特に書き換え回数が制限された記録媒体に対して情報データを記録する装置に関する。
【０００２】
【従来の技術】
従来、撮影したデジタル画像データをメモリカードに対して記録再生するデジタルカメラが知られている。この際、無制限にデータを書き換え可能なメモリカードを使用することが一般的である。
【０００３】
この様に、書き換え回数が無制限なメモリカードでは、記録したデータを消去するための回路や構造を持つために、どうしても高価にならざるを得ない。
【０００４】
そこで、現在、データの書き込み回数を一度だけに限ることで、データを消去するための回路や構造を省いた、より安価なメモリカードが考えられている。このカードをＯｎｅ  Ｔｉｍｅメモリカード（以下ＯＴメモリカードという）と呼ぶ。
【０００５】
このＯＴメモリカードを使用した場合、書き換え可能な通常のメモリカードと同様に画像データを書き込むことができるが、消去することができないので、記録したデータはそのままメモリカード内に保存される。
【０００６】
【発明が解決しようとする課題】
ＯＴメモリカードにおいて、フォーマット動作ができず記録したデータがそのまま残るということは、記録保存媒体としては特に問題は無い。
【０００７】
しかしながら、この構造では、メモリカードが一度きりの使い切りとなってしまい、撮り直しが出来るという現在のデジタルカメラの利点を損なってしまう。
【０００８】
本発明はこの様な問題を解決し、撮り直しができるというデジタルカメラなどの撮像装置の利点を生かしたまま、より安価な記録媒体を有効に活用可能とすることを目的とする。
【０００９】
【課題を解決するための手段】
前記課題を達成するため、本発明においては、データの書き換えが所定回数に制限された第１の記録領域とデータの書き換え回数が制限されていない第２の記録領域とを有する記録媒体に対して情報データを記録する装置であって、前記記録媒体に対して前記情報データを記録再生する記録再生手段と、前記第２の記録領域に記録されている情報データのプロテクトの指示に応じて、前記指示された情報データを前記第２の記録領域から再生して前記第１の記録領域に記録するよう前記記録再生手段を制御する制御手段とを備える構成とした。
【００１０】
【発明の実施の形態】
図１は本発明を適用したデジタルカメラの外観図である。
【００１１】
図１において、１０１は書き換え可能な通常の記録領域と１回のみデータの書き込みが可能なＯＴ記録領域とを持つメモリカード、１０２は撮像装置、１０３は撮像装置１０２の撮影を指示するトリガボタン、１０４は撮像装置１０２の動作モードを選択するモードスイッチ、１０５はメモリカード１０１に記録された画像データの消去禁止を指示するプロテクトキーである。
【００１２】
図３は図１に示したメモリカード１０１の内部の略構造を示した図である。メモリカード１０１は、書き換え可能なメモリ領域とＯＴメモリ領域を持ち、夫々の領域とデジタルカメラとの間でデータのやり取りを行うインターフェース部と、撮像装置と接続するＩ／Ｏ部で構成されている。
【００１３】
図２は図１のデジタルカメラの内部構成を示すブロック図である。
【００１４】
図２において、２０１は撮像部、２０２は撮影モードにおいては撮像部２０１から出力されたデジタル画像データを周知のＪＰＥＧ方式などに従い符号化してメモリカードＩ／Ｆ２０４に出力し、再生モードにおいてはメモリカードＩ／Ｆ２０４から出力されたデジタル画像データを復号して表示部２０３に出力する信号処理部、２０３は撮影モードにおいては撮像部２０１により撮像されている画像を表示し、再生モードにおいてはメモリカード１０１から再生された画像を表示する表示部、２０４はメモリカード１０１に対して画像データを含む画像ファイルやその他の管理データなどを記録再生するメモリカードＩ／Ｆ、２０５はメモリカードＩ／Ｆ２０４の記録再生時に画像データなどを一時保持するためのバッファメモリ、２０６は制御部、２０７は図１のトリガボタン１０３、モードスイッチ１０４、プロテクトキー１０５などを含む操作スイッチである。
【００１５】
次に、制御部２０６による図１、図２に示したデジタルカメラの制御動作を図４のフローチャートを用いて説明する。
【００１６】
デジタルカメラにメモリカード１０１が挿入されるか、あるいは、電源スイッチが投入されると処理がスタートする。
【００１７】
まず、モードスイッチ１０４により、撮影モードと再生モードの何れが設定されたのかを判別する（ステップＳ４０１）。
【００１８】
撮影モードが設定された場合、トリガボタン１０３の操作を待ち（ステップＳ４０２）、トリガボタン１０３による撮影指示があると、メモリカードＩ／Ｆ１０４によりメモリカード１０１の通常記録領域に空き領域があるか否かチェックする（ステップＳ４０３）。
【００１９】
空き領域が合った場合、制御部２０６は信号処理部２０２を制御して、撮像部２０１からの画像データ中の一画面を抽出し、デジタル静止画像データを生成してメモリカードＩ／Ｆ２０４に出力する。メモリカードＩ／Ｆ２０４はメモリカード１０１の通常記録領域にこのデジタル静止画像データを含む画像ファイルを書き込む（ステップＳ４０４）。
【００２０】
また、通常記録領域に空き領域が無かった場合、更に、ＯＴ記録領域に空きがあるか否かを検出する（ステップＳ４０５）。
【００２１】
ＯＴメモリ領域に空きがあった場合、制御部２０６は、メモリカードＩ／Ｆ２０４を制御し、通常記録領域に現在記録されている画像ファイルのうち、最も撮影日時が古い画像ファイルを読み出して、一時的にバッファメモリ２０５に記憶する。そして、改めてこのバッファメモリ２０５に記憶した画像ファイルをＯＴ記録領域に書き込むと共に、この画像ファイルが記録されていた領域を空き領域として開放する（ステップＳ４０６）。
【００２２】
その後、ステップＳ４０４に進み、開放された通常記録領域に対して新たに画像ファイルを記録する。
【００２３】
また、ステップＳ４０５において、ＯＴ記録領域にも空き領域が無かった場合、これ以上の記録ができない旨の情報を表示部２０３に表示する（ステップＳ４０７）。
【００２４】
なお、本形態では、撮影モードにおいて、メモリカードＩ／Ｆ２０４によりメモリカード１０１の記録可能な容量を検出して表示部２０３に表示しているが、この場合には、通常記録領域とＯＴ記録領域の両方の空き領域を合計したものを表示する。
【００２５】
その後、メモリカード１０１の排出や、電源オフの指示などがあると、処理を終了する（ステップＳ４１５）。
【００２６】
一方、ステップＳ４０１において、再生モードが設定されていた場合、制御部２０６はメモリカードＩ／Ｆ２０４を制御してメモリカード１０１の通常記録領域あるいはＯＴ記録領域より画像データを再生し、信号処理部２０２により復号した後表示部２０３に表示する（ステップＳ４０８）。この際、ユーザは操作スイッチ２０７を操作することで、メモリカード１０１の通常記録領域、ＯＴ記録領域の何れの記録領域に記録されている画像データも任意に指定して再生することが可能である。
【００２７】
次に、プロテクトキー１０５が操作されたか否かを判別し（ステップＳ４０９）、プロテクトキー１０５の操作がない場合にはそのままステップＳ４１５に進む。また、プロテクトキー１０５が操作され、プロテクト指示、即ち消去禁止の指示があった場合、更に、現在再生中の画像データがＯＴ記録領域からの再生データであるか否かを判別する（ステップＳ４１０）。
【００２８】
ＯＴ記録領域からの再生データではなく、通常の記録領域からの再生データであった場合、ＯＴ記録領域に空き領域があるか否かを検出する（ステップＳ４１１）。空き領域があった場合、メモリカードＩ／Ｆ２０４を制御して、現在再生中の画像データをメモリカード１０１の通常記録領域から再生して一時的にバッファメモリ２０５に記憶する。そして、改めてこの画像データをＯＴ記録領域に書き込み、この画像データが記録されていた領域を空き領域として開放する（ステップＳ４１２）。
【００２９】
また、ＯＴ記録領域に空き領域がなかった場合、プロテクト指示に伴うＯＴ記録領域への移動ができない旨の情報を表示部２０３に表示する（ステップＳ４１３）。
【００３０】
また、ステップＳ４１０において、再生中の画像データが元々ＯＴ記録領域からの再生データであった場合、既にＯＴ記録領域に記録されているため、プロテクト不要である旨の情報を表示部２０３に表示する（ステップＳ４１４）。
【００３１】
この様に、本形態では、１回のみデータの書き込みが可能なＯＴ記録領域と無制限に書き換え可能な通常の記録領域とを持つメモリカードを用いて記録再生を行うデジタルカメラにおいて、通常記録領域に記録されている画像データに対するプロテクト指示があった場合に、この画像データを通常記録領域からＯＴ記録領域に移動しているため、安価なメモリカードを用いて画像データの誤消去防止を実現することができる。
【００３２】
また、撮影モードにおいては、データの書き換えが可能な通常の記録領域を優先的に使って画像データを記録すると共に、通常の記録領域における空き領域が少なくなったときの救済のためにＯＴ記録領域を用いることで、画像データの書き換えを自由に行うことができるというデジタルカメラの利点を生かしながら、より安価なメモリカードが使用可能となる。
【００３３】
なお、本形態では、１回のみデータの書き込みが可能な領域を持つメモリカードについて説明したが、データの書き換え回数がｎ回（ｎは１以上の整数）に制限された記録媒体に対しても本発明を適用可能である。
【００３４】
また、本形態では、撮影モードにおいて通常記録領域に対して優先的に画像データを書き込み、通常記録領域における空き領域が少なくなった場合に、通常記録領域に記録されている画像データをＯＴ記録領域に移動していたが、画像データの書き込み先領域をユーザが任意に選択できるよう構成してもよい。
【００３５】
【発明の効果】
以上説明した様に、本発明によれば、安価なメモリカードを用いて画像データの誤消去防止を実現することができる。
【図面の簡単な説明】
【図１】本発明が適用されるデジタルカメラの外観図である。
【図２】本発明が適用されるデジタルカメラの構成を示すブロック図である。
【図３】本発明の実施形態にて用いるメモリカードの構成を示す図である。
【図４】本発明の実施形態における動作を示すフローチャートである。
【図１】
2004274136.tif 000003
【図２】
2004274136.tif 000004
【図３】
2004274136.tif 000005
【図４】
2004274136.tif 000006